(57)【要約】【課題】従来の角度調整具では、椅子等の鋼製パイプフレームに取り付け易いようにチューブを設けていたが、木製の椅子等には適用し難い。【解決手段】第１及び第２の回転体３，４を枢軸２を介して相対回転自在に連結する。第１の回転体３は同一仕様の内側及び外側板部材１０，１１を重ねてなる。第２の回転体４は内側板部材１８に外側板部材１９を組み合わせてなり、両部材１８，１９間に第１の回転体３のラチェット５を収容するための収容部２０を区画する。第１及び第２の回転体３，４の取付面１７，３１とが概ね面一とされ、両取付面１７，３１をそれぞれ椅子の座部及び背もたれ部の側面に沿わせてねじ止めする。第２の回転体４に支軸６を介して揺動自在に支持される係止爪７を付勢部材８により付勢してラチェット５に噛合させる。係止爪７のラチェット５への係止を解除するための解除体９を枢軸２により支持する。【選択図】  図５
2004267458.tif 000002
【特許請求の範囲】
【請求項１】
枢軸を介して連結された第１および第２の回転体の相対回転位置を段階的に調整することが可能な角度調整具において、上記第１および第２の回転体が互いに概ね面一となる取付面を有することを特徴とする角度調整具。
【請求項２】
請求項１において、上記第１の回転体はラチェットを形成する同一仕様の板部材を複数枚重ねてなることを特徴とする角度調整具。
【請求項３】
請求項２において、上記第２の回転体は上記取付面を有する内側板部材に外側板部材を組み合わせてなり、内側板部材と外側板部材との間に、第１の回転体のラチェットのための収容部が区画されることを特徴とする角度調整具。
【請求項４】
請求項３において、上記第１の回転体および第２の回転体の板部材は同じ板金材から打ち抜き形成してなることを特徴とする角度調整具。
【請求項５】
請求項３又は４において、上記第２の回転体の内側および外側板部材の挿通孔を挿通して内側および外側板部材を互いに連結する連結軸を備え、内側板部材は、挿通孔の周縁に上記取付面から窪む窪み部を有し、連結軸の抜け止め端部が窪み部内に収容されることを特徴とする角度調整具。
【請求項６】
請求項１ないし５の何れか一つにおいて、上記第２の回転体は、上記第１の回転体のラチェットに係止可能な係止爪を、上記枢軸から離間する支軸を介して回転自在に支持しており、
係止爪は付勢部材によってラチェットに係止する方向に付勢されており、
上記第１および第２の回転体の間に、枢軸により所定の範囲で回転可能に支持されて上記付勢部材に抗して係止爪のラチェットに対する係止を解除するための解除体が設けられることを特徴とする角度調整具。
【発明の詳細な説明】
【０００１】
【発明の属する技術分野】
本発明は、一対の回転体の相対回転位置を段階的に調整することのできる角度調整具に関する。
【０００２】
【従来の技術】
従来、この種の角度調整具では、椅子やベッドのパイプフレームへの取付を考慮して、相対回動自在に連結される一対の回転体が、それぞれパイプフレームへの連結のためのチューブを有している（例えば特許文献１）。
【０００３】
【特許文献１】
特許第２０２４２３３号
【０００４】
【発明が解決しようとする課題】
一方、このようなチューブを有する回転体では木製の椅子等の背もたれ角度の調整機構に適用し難いという問題がある。仮に適用できたとしても、スペースを広くとる。また、板材とチューブ材とを溶接することが必要で製造コストが高くなる。
本発明は上記課題に鑑みてなされたものであり、本発明の目的は、安価でスペースをとらず、木製家具子等にも簡便に適用することができる角度調整具を提供すことである。
【０００５】
【課題を解決するための手段】
上記目的を達成するため、第１発明は、枢軸を介して連結された第１および第２の回転体の相対回転位置を段階的に調整することが可能な角度調整具において、上記第１および第２の回転体が互いに概ね面一となる取付面を有することを特徴とするものである。本発明では、例えば、背もたれ角度の調整が可能な木製の椅子の座部と背もたれ部の側面に各取付面を沿わせて、例えばねじ止め等により簡単に取り付けることができ、汎用性を高くすることができる。
【０００６】
第２発明は、第１発明において、上記第１の回転体はラチェットを形成する同一仕様の板部材を複数枚重ねてなることを特徴とするものである。本発明では、例えば板金成形し易い薄肉の板材を用いても、これを積み重ねることで、十分な構造強度を得ることができ、結果として、安価に所望の強度を得ることができる。
第３発明は、第２発明において、上記第２の回転体は上記取付面を有する内側板部材に外側板部材を組み合わせてなり、内側板部材と外側板部材との間に、第１の回転体のラチェットのための収容部が区画されることを特徴とするものである。本発明では、例えば板金成形し易い薄肉の板材を用いても、これを組み合わせることで、十分な構造強度を得ることができ、結果として、安価に所望の強度を得ることができる。
【０００７】
第４発明は、第３発明において、上記第１の回転体および第２の回転体の板部材は同じ板金材から打ち抜き形成してなることを特徴とするものである。本発明では製造コストを格段に安くすることができる。
第５発明は、第３又は第４発明において、上記第２の回転体の内側および外側板部材の挿通孔を挿通して内側および外側板部材を互いに連結する連結軸を備え、内側板部材は、挿通孔の周縁に上記取付面から窪む窪み部を有し、連結軸の抜け止め端部が窪み部内に収容されることを特徴とするものである。本発明では、連結軸の抜け止め端部が取付面から突出しないので、第２の回転体を取付対象に取付け易く、またスペースをとらない。
【０００８】
第６発明は、第１ないし第５発明の何れか一つにおいて、上記第２の回転体は、上記第１の回転体のラチェットに係止可能な係止爪を、上記枢軸から離間する支軸を介して回転自在に支持しており、係止爪は付勢部材によってラチェットに係止する方向に付勢されており、上記第１および第２の回転体の間に、枢軸により所定の範囲で回転可能に支持されて上記付勢部材に抗して係止爪のラチェットに対する係止を解除するための解除体が設けられることを特徴とするものである。本発明では、部品点数の少ない簡便な構造にて、調整角度のロックとロック解除を達成することができる。
【０００９】
【発明の実施の形態】
本発明の好ましい実施の形態を添付図面を参照しつつ説明する。
図１は本発明の一実施の形態の角度調整具の一部破断正面図である。図１を参照して、角度調整具１は、枢軸２を介して相対回転自在に連結された第１および第２の回転体３，４と、第１の回転体３に形成されるラチェット５と、第２の回転体４に支軸６を介して揺動自在に支持されラチェット５に噛み合うことのできる係止爪７と、この係止爪７をチラェット５に噛み合う方向に付勢する付勢部材８と、この付勢部材８に抗して係止爪７のラチェット５への係止を解除するための解除体９とを備える。
【００１０】
角度調整具１は、例えば、第１の回転体３が椅子の背もたれ部の側部にねじ挿通孔１６を通したねじによりねじ止めされると共に、第２の回転体４が座部の側部にねじ挿通孔６０を通したねじによりねじ止めされる。そして、第１および第２の回転体の３，４の相対回転位置を、例えば図２（ａ）に示すように略９０度をなす状態から、図２（ｂ）に示すように、略１８０°をなす状態へと段階的に調整する機能を実現し、これにより、背もたれの角度の調整を実現する。
【００１１】
図１，図３および図５を参照して、第１の回転体３は、同一仕様の例えば２枚の、内側板部材１０および外側板部材１１を重ねて構成される。各板部材１０，１１は、概ね円形をなし外周の概ね半周に歯５ａを設けてラチェット５を形成するラチェット形成部１２と、ラチェット形成部１２から傾斜状連結部１３を介して延設される長尺の取付板部１４とを備える。
ラチェット５の中心には、図５に示すように、上記の枢軸２を挿通させる挿通孔１５が形成されている。また、取付板部１４には、その長手方向に沿って並ぶように複数のねじ挿通孔１６が設けられている。
【００１２】
内側板部材１０の取付板部１４の内側の面によって、第１の回転体３の平坦な取付面１７が構成されている。外側板部材１１の外側面に突出する突起５０が形成されている。この突起５０の裏側は凹みとなっており、この凹みには、同じく内側板部材１０の外側面に形成された突起（図示せず）が嵌め合わされるようになっており、組立時の両板部材１０，１１間の位置決めを容易にしている。
第２の回転体４は、外側板部材１８と内側板部材１９を組み合わせてなり、これらの板部材１８，１９間に、上記のラチェット形成部１２、係止爪７、付勢部材８および解除体９を収容するための収容部２０を区画している。
【００１３】
外側板部材１９は、収容部２０を区画するために外方へ膨出された略楕円状をなす区画壁２１と、区画壁２１から傾斜状連結部２２を介して延設される長尺の取付板部２３とを備える。図１、図３に示すように、傾斜状連結部２２の対向する側縁２２ａ（図では一方のみを示す）は区画壁２１に略直交するように折り曲げられて区画壁２１の一部に連なっており、構造強度を向上している。
図５を参照して、区画壁２１には中央よりも先端寄りに枢軸挿通孔２４が形成され、また、区画壁２１の中央よりも取付板部２３側に支軸挿通孔２５が形成されている。
【００１４】
区画壁２１の内側面２１ａには、枢軸挿通孔２４と支軸挿通孔２５との間の中間部に、第１突起２６が突出形成されている。また、図１を参照して、枢軸挿通孔２５の回りに概ね円周等配に上記の第１突起２６、第２突起２７および第３突起２８が突出形成されている。第１、第２および第３の突起２６，２７，２８は、図２（ａ）に示すような外側板部材１９の外側面に設けられる凹み２６ａ，２７ａ，２８ａの裏側に形成される。
【００１５】
図３を参照して、内側板部材１８は、外側板部材１９の第２および第３の突起２７（２８）に相対向する突起３６（３７）を設けており、収容部２０内で第１の回転体３のラチェット形成部１２が横方向へがたつくのを抑制している。内側板部材１８の上記突起３６，３７は、図４に示す凹み３８，３９の裏側に設けられている。
図１および図５を参照して、内側板部材１８は、外側板部材１９の区画壁２１に対向して略楕円形をなす区画壁２９と、外側板部材１９の取付板部２３に沿わせて重ねられる取付板部３０とを有し、区画壁２９および取付板部３０の外側面は面一をなして、第２の回転体４の取付面３１を構成している。第２の回転体４の取付面３１と第１の回転体３の取付面１７とは概ね面一となるようにされている。
【００１６】
枢軸２は、頭部２ａと、大径部２ｂと、小径部２ｃと、例えばかしめられる大径の抜け止め端部２ｄとを有している。頭部２ａは、第２の回転体４の外側板部材１９の外側面から突出する。大径部２ｂは、頭部２ａよりも少し径が小さく外側板部材１９および解除体９の枢軸挿通孔２４，９６を貫く。小径部２ｃは、第１の回転体３の各板部材１０，１１の枢軸挿通孔１５および、第２の回転体４の内側板部材１８の枢軸挿通孔３２を貫く。内側板部材１８の枢軸挿通孔３２の周縁には、枢軸２の抜け止め端部２ｄが取付面３１から突出しないように収容するための窪み部３３が形成されている。
【００１７】
また、支軸６は、頭部６ａと、中間部６ｂと、例えばかしめられる抜け止め端部６ｃを有し、内側板部材１８の支軸挿通孔３４の周縁には、抜け止め端部６ｃが取付面３１から突出しないように収容する窪み部３５が形成されている。
第２の回転体４は、その内側板部材１８および外側板部材１９の取付板部２３，３０を合わせた状態でこれらを一体的に貫くねじ挿通孔６０を形成している。第１および第２の回転体３，４を構成する板部材１０，１１，１８，１９は同じ板金材から打ち抜き形成してなり、製造コストの低廉化が図られている。
【００１８】
係止爪７は支軸６の回りに揺動可能に支持されている。付勢部材８は支軸６の回りに遊嵌され、その一端８ａが係止爪７に、他端８ｂが第１の回転体４の傾斜状連結部２２の側縁２２ａに係止されている。付勢部材８によって付勢された係止爪７がラチェット５の歯５ａに噛み合うことにより、第１の回転体３の第２の回転体４に対する展開方向（図において時計回り方向）への回動が阻止されている。
【００１９】
図１を参照して、解除体９は板金形成されてなり、主体部９０と主体部９０の縁部の一部から直交状に折り曲げ形成された片からなる案内部９１とを備える。解除体９の主体部９０は、第２の回転体４の外側板部材１９の内側面と、第１の回転体３の外側板部材１１の外側面との間に挟まれて、枢軸２の回りに所定の角度範囲で揺動自在に支持されている。
解除体９は、ラチェット５の歯５ａよりも径方向外方へ突出して歯５ａに対する係止爪７の噛み合いを阻止しつつ係止爪７を案内するための上記した案内部９１と、ラチェット５の歯底よりも径方向内方に位置して係止爪７の歯５ａへの噛み合いを許容する許容部９２と、上記した第１の回転体３の突起５０に当接可能な第１および第２のストッパ部９３，９４と、解除体９の枢軸２回りの回動範囲を規制するために上記の第１の突起２６に係合する円弧溝９５とを設けている。許容部９２、各ストッパ部９３，９４および円弧溝９５は主体部９０に設けられている。
【００２０】
したがって、解除体９の許容部９２を介して係止爪７をラチェット５の歯５ａに噛み合わせることで、第１の回転体３の展開方向への回動を阻止して、第１の回転体３の起立方向（図１において反時計回り）への回動のみを許容する。
この第１の回転体３の起立方向への回動の終端近くで、解除体９の第２ストッパ部９４に突起５０を当接させることで、解除体９を第１の回転体３と共に回動させ、係止爪７を解除体９の案内部９１に乗り上げさせて、係止爪７とラチェット５の歯５ａとの噛み合いを解除する。
【００２１】
これにより、第２の回転体４に対する第１の回転体３の展開方向への回動を許容し、更に、展開方向への回動の終端近くで、解除体９の第１ストッパ部９４に上記突起５０を当接させて、解除体９を第１の回転体３と共に回動させることで、係止爪７を解除体９の案内部９１から離脱させて、再度、係止爪７とラチェット５の歯５ａとを噛み合わせるようにしている。
以上説明した本実施の形態によれば、例えば、背もたれ角度の調整を可能とするための木製の椅子の座部と背もたれ部の側面に、対応する第１および第２の回転体３，４の対応する取付面１７，３１をそれぞれ沿わせて、ねじ挿通孔１６，６０に挿通したねじを椅子の座部や背もたれ部の側面にねじ込んで、簡単に取り付けることができ、汎用性を高くすることができる。
【００２２】
特に、窪み部３３，３５を設けることで、枢軸２および支軸６の抜け止め端部２ｄ，６ｃが取付面３１から突出しないようにしてあるので、第２の回転体４を取付対象に取付け易く、またスペースをとらない。
また、同一仕様の板部材１０，１１を複数重ねて、ラチェット５を有する第１の回転体３を構成するので、例えば板金成形し易い薄肉の板材を用いても、積み重ねにより十分な構造強度を得ることができ、結果として、安価に所望の強度を得ることができる。
【００２３】
また、上記第２の回転体４についても内外２枚の板部材１８，１９を組み合わせてなるので、安価に所望の強度を得ることができる。
特に、第１および第２の回転体３，４の板部材１０，１１，１８，１９を同じ板金材から打ち抜き形成してなる場合には、製造コストを格段に安くすることができる。
また、本実施の形態では、第１および第２の回転体３，４の他、係止爪７、付勢部材８、解除体９という部品点数の少ない簡便な構造にて、コスト安価に、調整角度のロックとロック解除を達成することができる。
【００２４】
また、各板部材１０，１１，１８，１９、係止爪７、付勢部材８、解除体９、枢軸２、支軸６を組み合わせて仮組した後、枢軸２および支軸６の端部をかしめつけることで、角度調整具１の組立が完了するので、製造が非常に容易であり、この点からも角度調整具１を安価にすることができる。
本発明は上記実施の形態に限定されるものではなく、本発明の角度調整具を、例えば、棚の開閉に応用したり、肘掛けの角度調節、ヘッドレストの角度調整、列車内の座席足元のフットレストの角度調節等に用いたりすることが可能である。その他、本発明の特許請求の範囲内で種々の変更を施すことができる。
【図面の簡単な説明】
【図１】本発明の一実施の形態の角度調整具の一部破断正面図である。
【図２】（ａ）および（ｂ）は角度調整具の動作を示す概略正面図である。
【図３】角度調整具の概略平面図である。
【図４】角度調整具の概略背面図である。
【図５】図２（ｂ）のＶ−Ｖ線に沿う断面図である。
【符号の説明】
１    角度調整具
２    枢軸（連結軸）
３    第１の回転体
４    第２の回転体
５    ラチェット
５ａ  歯
６    支軸（連結軸）
７    係止爪
８    付勢部材
９    解除体
１０  内側板部材
１１  外側板部材
１２  チチェット形成部
１４  取付板部
１７  取付面
１８  内側板部材
１９  外側板部材
２０  収容部
２６  第１突起
２７  第２突起
２８  第３突起
３０  取付板部
３１  取付面
３２  枢軸挿通孔
３３  窪み部
３４  支軸挿通孔
３５  窪み部
５０  突起
９１  案内部
９２  許容部
９３  第１のストッパ部
９４  第２のストッパ部
９５  円弧溝
９６  枢軸挿通孔
【図１】
2004267458.tif 000003
【図２】
2004267458.tif 000004
【図３】
2004267458.tif 000005
【図４】
2004267458.tif 000006
【図５】
2004267458.tif 000007